(57)【要約】      （修正有）【課題】荷重の大きい商品（青果物）であっても、充分な支持強度を確保できるようにする。【解決手段】傾斜面に沿って設置される枠体１と、所定形状にかたどられ、適宜折り畳まれて、背面が傾斜面に沿う階段状の棚Ａを構成すると共に、少なくとも上端部が枠体１の上部に引っ掛けられる陳列台１０とを備え、前記棚Ａは商品が載置される座板１２，２３と、該座板１２，２３を支持すると共に、商品の背面に位置する背板１７，２６とを備え、各段の座板１２，２３は、その大きさが同一又は異なるように形成される。【選択図】図１
2011045471.tif 000002
【特許請求の範囲】
【請求項１】
傾斜面（Ｇ）に沿って設置される枠体（１）と、
所定形状にかたどられ、適宜折り畳まれて、背面が傾斜面（Ｇ）に沿う階段状の棚（Ａ）を構成すると共に、少なくとも上端部が枠体（１）の上部（３）に引っ掛けられる陳列台（１０）とを備えたことを特徴とする商品用陳列台。
【請求項２】
前記棚（Ａ）は、商品が載置される座板（１２，２３）と、該座板（１２，２３）を支持すると共に、商品の背面に位置する背板（１７，２６）とを備え、各段の座板（１２，２３）は、その大きさが同一又は異なるように形成されることを特徴とする請求項１に記載の商品用陳列台。
【請求項３】
前記陳列台（１０）は、隣接する棚（Ａ）同士が、同一面になるように、或いは高低差を生じるように、枠体（１）に複数並設されることを特徴とする請求項１または２に記載の商品用陳列台。
【請求項４】
座板（１２，２３）及び背板（１７，２６）の少なくともいずれか一方を支持する支持板（１５，１８，２７）が、座板（１２，２３）及び背板（１７，２６）の少なくともいずれか一方の両側端部に延出して設けられることを特徴とする請求項１乃至３のいずれか１項に記載の商品用陳列台。
【請求項５】
座板（１２，２３）及び背板（１７，２６）の少なくともいずれか一方を内部から支持できるように、座板（１２，２３）と背板（１７，２６）と傾斜面（Ｇ）との間に形成される空間に補強部材（３０，３５）が内装されることを特徴とする請求項１乃至４のいずれか１項に記載の商品用陳列台。
【請求項６】
商品の一面が臨出して補強部材（３０，３５）に当接するように、座板（１２，２３）に貫通孔（１３，２４）が形成されることを特徴とする請求項５に記載の商品用陳列台。
【請求項７】
隣接する陳列台（１０）同士を連結できるように、隣接する各棚（Ａ）の対向する側端部に向かって連結片（２２）が突設されると共に、該連結片（２２）が挿入される挿入孔（２２ａ）が対向する側端部に形成されることを特徴とする請求項１乃至６のいずれか１項に記載の商品用陳列台。
【請求項８】
前記陳列台（１０）の少なくとも上端部は、枠体（１）の上部（３）の上端部から枠体（１）の上部（３）の外面に沿うように下方に折り曲げられる折曲板（２９）と、該折曲板（２９）の端部に形成され、該折曲板（２９）が折り曲げられた状態で枠体（１）の上部（３）の下端部に係止される係止片（２９ａ）とを有することを特徴とする請求項１乃至７のいずれか１項に記載の商品用陳列台。
【請求項９】
前記枠体（１）は、基板（２）と、該基板（２）の周端部から立設される側板（３，４，７，８）とで構成され、基板（２）と側板（３，４，７，８）とで形成される空間に複数の陳列台（１０）が並設されることを特徴とする請求項１乃至８のいずれか１項に記載の商品用陳列台。
【発明の詳細な説明】
【技術分野】
【０００１】
本発明は、商品、例えばメロンやスイカなどの果物、あるいは白菜やキャベツなどの野菜、もしくは該野菜の調理に使用するドレッシングなどを陳列する商品用陳列台に関する。
【背景技術】
【０００２】
従来のこの種の商品用陳列台は、例えば上下方向に所定の間隔をおいて水平方向の嵌合溝が形成される陳列基台と、断面略Ｌ字形状の枠体を有する陳列補助台とを備えたものが公知になっている（特許文献１）。
【０００３】
そして、傾斜面に陳列基台を設置すると共に、該陳列基台の嵌合溝に、陳列補助台の枠体の上下の先端裏側に付設された係合片をそれぞれ係合させて、傾斜面に沿う階段状の陳列棚を構成するようにしている。また、枠体の一載置面の途中から他載置面の途中まで上下方向の嵌合溝が形成されており、上下に配置された枠体が仕切り板によって横ずれが防止できるようにもなっている。また、枠体は、左右に側板を備えており、一載置面と他載置面の支持強度を確保している。
【先行技術文献】
【特許文献】
【０００４】
【特許文献１】特開２００６−１５０４３号公報
【発明の概要】
【発明が解決しようとする課題】
【０００５】
しかしながら、前記商品用陳列台の場合、重量の大きい商品が枠体に載置されて陳列される際、商品の荷重が枠体に対してかかる場合があるため、左右の側板だけでは支持強度が充分ではなく、枠体の一載置面及び他載置面が変形する場合もあると考えられる。
【０００６】
そこで、本発明は、上記問題点を鑑み、荷重の大きい商品であっても、充分な支持強度を確保できる商品用陳列台を提供することを課題とする。
【課題を解決するための手段】
【０００７】
本発明に係る商品用陳列台は、傾斜面Ｇに沿って設置される枠体１と、所定形状にかたどられ、適宜折り畳まれて、背面が傾斜面Ｇに沿う階段状の棚Ａを構成すると共に、少なくとも上端部が枠体１の上部３に引っ掛けられる陳列台１０とを備えたことを特徴とする。
【０００８】
この場合、階段状の棚Ａが構成されることで、商品が載置される部位と、それを支持する部位が連続して形成されるので、重量の大きさに関係なく種々の商品を展示できるようになる。また、少なくとも上端部が枠体１の上部３に引っ掛けられるので、陳列台１０を枠体１に沿って複数配置できるので、種々の商品を展示できるようになる。
【０００９】
また、本発明によれば、前記棚Ａは、商品が載置される座板１２，２３と、該座板１２，２３を支持すると共に、商品の背面に位置する背板１７，２６とを備え、各段の座板１２，２３は、その大きさが同一又は異なるように形成するような構成を採用することもできる。
【００１０】
この場合、座板１２，２３が同一の大きさであれば、同じ大きさの商品を展示できる。また、座板１２，２３が異なる大きさであれば、商品の大きさに合わせて展示できる。即ち、展示する商品のバリエーションが広がる。
【００１１】
また、本発明によれば、前記陳列台１０は、隣接する棚Ａ，Ａ同士が、同一面になるように、或いは高低差を生じるように、枠体１に複数並設するような構成を採用することもできる。
【００１２】
この場合、隣接する棚Ａ，Ａ同士が同一面であれば、隣接する棚Ａ，Ａに跨るように商品を展示できる。また、隣接する棚Ａ，Ａ同士に高低差が生じている場合は、商品の高さの大小に応じて展示できる。即ち、展示しようとする商品を、棚Ａの高さを同じにしたり、高低差を生じるように配置したりすることで、商品の展示領域を自由にアレンジすることができる。
【００１３】
また、本発明によれば、座板１２，２３及び背板１７，２６の少なくともいずれか一方を支持する支持板１５，１８，２７が、座板１２，２３及び背板１７，２６の少なくともいずれか一方の両側端部に延出して設けられるような構成を採用することもできる。
【００１４】
この場合、座板１２，２３及び背板１７，２６の少なくともいずれか一方の両側端部に支持板１５，１８，２７が延出して設けられるので、座板１２，２３及び背板１７，２６が側端部において直接的に支持されるようになり、座板１２，２３及び背板１７，２６の支持強度が向上する。支持強度が向上することで、重量の大きい商品を展示することができる。そして、商品の場合、何日間に亘って展示することが多いため、展示期間中に係る荷重に対しても耐え得ることができる。
【００１５】
また、本発明によれば、座板１２，２３及び背板１７，２６の少なくともいずれか一方を内部から支持できるように、座板１２，２３と背板１７，２６と傾斜面との間に形成される空間に補強部材３０，３５が内装されるような構成を採用することもできる。
【００１６】
この場合、座板１２，２３と背板１７，２６と傾斜面との間に形成される空間に補強部材３０，３５が内装されることで、補強部材３０，３５によって、座板１２，２３の中央部に鉛直方向に係る荷重を内側から支持できるようになり、座板１２，２３及び背板１７，２６が間接的に支持されて、座板１２，２３及び背板１７，２６の支持強度がより一層向上することになり、長期間での展示にも有効である。また、充分な支持強が得られることで、座板１２，２３及び背板１７，２６の変形を防止できるため、陳列台１０の外観を良好に保持できると共に、陳列する商品もきれいに展示できる。
【００１７】
また、本発明によれば、商品の一面が臨出して補強部材３０，３５に当接するように、座板１２，２３に貫通孔１３，２４が形成されるような構成を採用することもできる。
【００１８】
この場合、商品の一面が座板１２，２３の貫通孔１３，２４から臨出して補強部材３０，３５に当接することで、商品の荷重が座板１２，２３と補強部材３０，３５とで個別に支持されるようになり、商品の荷重が座板１２，２３と補強部材３０，３５とに分散されるようになり、座板１２，２３、背板１７，２６、補強部材３０，３５のいずれも変形されることがない。
【００１９】
また、本発明によれば、隣接する陳列台１０，１０同士を連結できるように、隣接する各棚Ａの対向する側端部に向かって連結片２２が突設されると共に、該連結片２２が挿入される挿入孔２２ａが対向する側端部に形成されるような構成を採用することもできる。
【００２０】
この場合、互いに対向する側端部に向かって突出する連結片２２が、該対向する側端部に形成される挿入孔２２ａに挿入されるので、隣接する陳列台１０，１０同士が互いの連結片２２によって位置固定されるようになり、各陳列台１０の上下方向のずれ、傾斜面Ｇからの浮き上がりを防止できる。つまり、陳列台１０を枠体１にきれいに陳列できるようになる。
【００２１】
また、本発明によれば、前記陳列台１０の少なくとも上端部は、枠体１の上部３の上端部から枠体１の上部３の外面に沿うように下方に折り曲げられる折曲板２９と、該折曲板２９の端部に形成され、該折曲板２９が折り曲げられた状態で枠体１の上部３の下端部に係止される係止片２９ａとを有するような構成を採用することもできる。
【００２２】
この場合、枠体１に引っ掛けられる陳列台１０の上端部が、枠体１の上部３の上端部から枠体１の上部３の外面に沿うように下方に折り曲げられる折曲板２９を有しているので、枠体１に対する陳列台１０の接触面積が大きくなる。さらに、折曲板２９が折り曲げられた状態で枠体１の上部３の下端部に係止片２９ａが係止することで、陳列台１０の上端部が枠体１の上部３に固定されるようになるので、重量の大きい商品が棚に載置されても、充分に耐えられる構成になっている。
【００２３】
また、本発明によれば、前記枠体１は、基板２と、該基板２の周端部から立設される側板３，４，７，８とで構成され、基板２と側板３，４，７，８とで形成される空間に複数の陳列台１０が並設するような構成を採用することもできる。
【００２４】
この場合、基板２と側板３，４，７，８とで形成される枠体１の空間に複数の陳列台１０を並設するようにしたので、枠体１毎に商品を展示できるようになり、展示スペースを容易に作ることができる。また、展示場所を移動する場合も、枠体１の単位で移動できるので、簡便である。
【発明の効果】
【００２５】
以上説明したように、本発明によれば、傾斜面に沿って設置される枠体に、折り畳まれて構成された階段状の棚の少なくとも上端部を引っ掛けるようにしたので、商品を載置する部位と、それを支持する部位が階段状に連設されることで、重量の大きい商品であっても、充分な支持強度を確保できる効果がある。
【図面の簡単な説明】
【００２６】
【図１】本発明の一実施形態に係る商品用陳列台の斜視図。
【図２】図１の切断側面図。
【図３】枠体の展開図。
【図４】陳列台の展開図。
【図５】（ａ）、（ｂ）は補強部材の展開図。
【図６】枠体の組立図。
【図７】陳列台の組立図。
【図８】（ａ）、（ｂ）は補強部材の組立図。
【図９】陳列台に補強部材を取り付ける際の組立図。
【図１０】補強部材が内装された陳列台を枠体に取り付ける際の組立図。
【図１１】高低差が生じるように陳列台を並設した状態を示す要部の概略斜視図。
【図１２】大きさの異なる陳列台を並設した状態を示す要部の概略斜視図。
【発明を実施するための形態】
【００２７】
以下、本発明の一実施形態に係る商品用陳列台につき、図１〜図１０を参照して説明する。なお、以下の説明において、「外方」、「内方」なる用語が用いられることがあるが、「外方」とは、枠体の中心から見て水平方向に広がる方向をいい、「内方」とは、水平方向において外側から枠体の中心側に向かう方向をいう。
【００２８】
本実施形態に係る商品用陳列台は、図１及び図２に示すように、紙製品（厚紙や段ボール）からなる枠体１と、該枠体１と同一素材で構成され、枠体１に左右方向に並設される複数の陳列台（本実施形態では４つ）１０と、該陳列台１０に内装される第１及び第２補強部材３０，３５とを備えている。したがって、リサイクルできるようになっている。また、陳列台１０に載置される商品として、青果物を例にとって説明する。
【００２９】
枠体１は、図２及び図３に示すように、傾斜面Ｇに載置される平面視矩形状の基板２と、該基板２の上端部及び下端部に沿って設けられる上枠３及び下枠４と、基板２の左側端部及び右側端部に沿って設けられる左側枠７及び右側枠８とで構成され、上面が開口された箱体を呈している。そして、基板２は、複数の陳列台１０が並設される大きさを有している。また、上枠３及び下枠４は、基板２の上下の長辺に沿って折り曲げ可能に形成された外板３ａ，４ａと、該外板３ａ，４ａの端縁部に沿って折り曲げ可能に形成された内板３ｂ，４ｂと、該外板３ａ，４ａの両端部に折り曲げ可能に形成された外折曲片３ｃ，４ｃと、内板３ｂ，４ｂの両端部に折り曲げ可能に形成された内折曲片３ｄ，４ｄと、基板２と外板３ａ，４ａとの折曲部に所定の間隔をおいて形成された複数（４つ）の係止孔５，…と、内板３ｂ，４ｂの端縁部に、各係止孔５，…の位置に応じて形成された切欠き６，…とを備えている。そして、外折曲片３ｃ，４ｃは、内折曲片３ｄ，４ｄよりも外側で折り曲げられるように折曲部が形成されている。また、内折曲片３ｄ，４ｄの折曲部には、内折曲片３ｄ，４ｄを折り曲げた際に係止溝（図示せず）が形成されるように切込み３ｅ，４ｅが形成されている。また、左側枠７及び右側枠８は、基板２の左右の短辺に沿って折り曲げ可能に形成された外板７ａ，８ａと、該外板７ａ，８ａの端縁部に沿って折り曲げ可能に形成された内板７ｂ，８ｂと、該内板７ｂ，８ｂの端部の中央部に形成された切欠き６，…とを備えている。そして、枠体１は、傾斜面Ｇに沿って配置される。
【００３０】
陳列台１０は、図２及び図４に示すように、下から順に、下折曲板１１、第１座板１２、第１背板１７、第２座板２３、第２背板２６、上折曲板２９が折り曲げ可能に連設されている。そして、組み立てた状態では、下側の第１座板１２及び上側の第２座板２３が傾斜面Ｇに対して水平方向に配置され、該第１座板１２及び第２座板２３の後側に第１背板１７及び第２背板２６が立設されている。そして、下折曲板１１が、下枠４の外板４ａの外面に沿うように上方から下方に折り曲げられて、下枠４の下端部に係止されると共に、上折曲板２９が、上枠３の外板３ａの外面に沿うように上方から下方に折り曲げられて、上枠３の下端部に係止される。そして、下側の第１座板１２及び第１背板１７と、上側の第２座板２３及び第２背板２６とで、階段状の棚Ａが構成されている。
【００３１】
下折曲板１１は、図４に示すように、平面視矩形状を呈しており、第１座板１２の下端部に折り曲げ可能に連設され、下端部の中央部に外方に向かって等脚台形状の下係止片１１ａが延出されている。そして、下折曲板１１は、下枠４の外板４ａの上端部から、該外板４ａの外面に沿って下方に折り曲げられ、下係止片１１ａが下枠４の下端部に位置することとなる係止孔５に挿入される。
【００３２】
第１座板１２は、第２座板２３と同一形状であり、中央部に貫通孔１３が形成されると共に、該貫通孔１３の径外方向にスリット１３ａが形成されている。このスリット１３ａによって、貫通孔１３の周縁部に係る青果物の荷重を分散している。そして、第１座板１２の両側端部に直角三角形状の第１支持板１５，１５が外方に延出されると共に、該第１支持板１５の長辺及び短辺の端縁部から外方に向かって台形状の折り代１６，１６が延出されている。そして、第１支持板１５の折り代１６，１６の斜辺と、後述する第２支持板１８の折り代１９ａの斜辺とが突き合わさっている。また、第１支持板１５は、図２に示すように、両折り代１６，１６が内側に折り曲げられた状態で、第１座板１２、枠体１の基板２、下枠４の内板４ｂによって形成される断面が直角三角形状の開口部に挿入される。この際、第１支持板１５の長辺が枠体１の基板２に当接し、短辺が下枠４の内板４ｂに当接し、斜片が第１座板１２に位置する。即ち、第１支持板１５によって、第１座板１２が傾斜面Ｇに対して水平支持される。
【００３３】
第１背板１７は、図４に示すように、前記第２背板２６と同一形状であり、第２座板２３の下側に折り曲げ可能に連設されている。そして、第１背板１７の両側端部に直角三角形状の第２支持板１８が外方に延出されると共に、該第２支持板１８の斜辺及び長辺の端縁部から外方に向かって台形状の折り代１９ａ，１９ｂが延出されている。また、該第２支持板１８は、図２に示すように、両折り代１９ａ，１９ｂが内側に折り曲げられた状態で、第２座板２３、枠体１の基板２、第１背板１７によって形成される断面が直角三角形状の開口部に挿入される。この際、第２支持板１８の長辺が第２座板２３に当接し、短辺が第１背板１７に位置し、斜片が枠体１の基板２に当接する。即ち、第２支持板１８によって、第２座板２３が傾斜面Ｇに対して水平支持されると共に、第１背板１７が直立支持される。また、第１背板１７は、第２支持板１８の長辺と折り代１９ｂとの折曲部に、後述する第２座板２３の係止片２５，２５が挿入される係止孔２０，２０が形成される一方、第２支持板１８の斜辺と折り代１９ａとの折曲部に形成された切込み２１によって、折り代１９ａを折り曲げた際に、台形状の連結片２２が外方に向かって突出するようになっている。この際、連結片２２の上方に、対向する連結片２２が挿入される挿入孔２２ａが形成される。連結片２２が挿入孔２２ａに挿入されることで、陳列台１０の位置ずれを防止できる。また、係止孔２０，２０に係止片２５，２５が挿入されることで、第２座板２３と第２支持板１８との連結が強固になり、第２座板２３が第２支持板１８によって水平に確実に支持される。
【００３４】
第２座板２３は、図４に示すように、平面視四角形状を呈し、その中央部に円形状の貫通孔２４が形成されると共に、該貫通孔２４の径外方向に複数のスリット２４ａ，…が形成されている。該貫通孔２４から青果物の一部が外部（下方）に臨出して、後述する第２補強部材３５の天板３６に当接するようになる。そして、第２座板２３の両側端部に外方に向かって矩形状の係止片２５，２５が延出されている。
【００３５】
第２背板２６は、図４に示すように、その両側端部に直角三角形の第３支持板２７，２７が外方に延出されると共に、該第３支持板２７，２７の長辺の端縁部から外方に向かって台形状の折り代２８が形成されている。また、該第３支持板２７は、図２に示すように、両折り代２８，２８が内側に折り曲げられた状態で、第２背板２６、枠体１の基板２、上枠３の内板３ｂによって形成される断面が直角三角形状の開口部に挿入される。この際、第３支持板２７の長辺が上枠３の内板３ｂに当接し、短辺が枠体１の基板２に当接し、斜片が第２背板２６に位置している。即ち、直角三角形状の第３支持板２７によって、第２背板２６が傾斜面Ｇに対して直立支持されている。
【００３６】
上折曲板２９は、下折曲板１１と同様に、平面視矩形状を呈しており、第２背板２６の上端部に折り曲げ可能に連設され、上折曲板２９の上端部の中央部に外方に向かって等脚台形状の上係止片２９ａが延出されている。そして、上折曲板２９は、上枠３の外板３ａの上端部から、該外板３ａの外面に沿って下方に折り曲げられ、上係止片２９ａが上枠３の下端部に位置することとなる係止孔５に挿入される。
【００３７】
第１補強部材３０は、図２及び図５（ａ）に示すように、平面視矩形状の天板３１と、該天板３１を両側から支持する側板３２と、天板３１の前端部に折り曲げ可能に形成される後板３３と、天板３１の後端部に折り曲げ可能に形成される傾斜板３４とを備えている。そして、第１補強部材３０を、図２に示すように、第１背板１７、第２座板２３、枠体１の基板２によって形成された内部空間に内装した場合、第１補強部材３０の天板３１が、第２座板２３の内面に位置し、第１補強部材３０の両側板３２が第１背板１７の第２支持板１８の内面に位置し、第１補強部材３０の後板３３が第１背板１７の内面に位置し、第１補強部材３０の傾斜板３４が枠体１の基板２に当接する。
【００３８】
第２補強部材３５は、図２及び図５（ｂ）に示すように、前記第１補強部材３０と同様に、平面視矩形状の天板３６と、該天板３６を両側から支持する側板３７と、天板３６の前端部に折り曲げ可能に形成される後板３８と、天板３６の後端部に折り曲げ可能に形成される傾斜板３９とを備えている。そして、第２補強部材３５を、図２に示すように、第１座板１２、枠体１の基板２、下枠５の内板４ｂによって形成された内部空間に内装した場合、第２補強部材３５の天板３６が、第１座板１２の内面に位置し、第２補強部材３５の両側板３７が第１座板１２の第１支持板１５の内面に位置し、第２補強部材３５の後板３８が下折曲板１１の内面に位置し、第２補強部材３５の傾斜板３９が枠体１の基板２に当接する。
【００３９】
つぎに商品用陳列台の組立手順について図６〜図１０を参照して説明する。まず、枠体１から組み立てる。枠体１は、図６に示すように、枠体１の上枠３及び下枠４の内板３ｂ，４ｂを互いに内側に折り込む。その際に、両端の内折曲片３ｄ，４ｄ及び外折曲片３ｃ，４ｃを互いに内側に且つ対向するように折り曲げる。この状態で、左側枠７及び右側枠８の内板７ｂ，８ｂを互いに内側に折り曲げて、折り曲げられた内折曲片３ｄ，４ｄ及び外折曲片３ｃ，４ｃを外側から巻き込むようにすれば、枠体１が完成する。そして、枠体１が完成された状態においては、上枠３及び下枠４の各外板３ａ，４ａの係止孔５，…に連通するように、該係止孔５，…の内方に切欠き６，…が位置するようになる。一方、左側枠７及び右側枠８の中央に内板７ｂ，８ｂの切欠き６，…が位置するようになる。また、上枠３及び下枠４の内折曲板３ｄ，４ｄの切込みスリット３ｅ，４ｅに、左右の側枠７，８の突片９，９が係止して、各内板３ｂ，４ｂ，７ｂ，８ｂが固定される。
【００４０】
つぎに、陳列台１０を組み立てる。該陳列台１０は、図７に示すように、第１座板１２が水平になるように、第１背板１７及び下折曲板１１を該第１座板１２に対して略直角になるように折り曲げる。その後、第１及び第２支持板１５，１８を互いに内側に折り曲げて、第１及び第２支持板１５，１８の各折り代１６，１９ａ，１９ｂを、第１及び第２支持板１５，１８に対して略直角に折り曲げて、下折曲板１１と第１座板１２との間に第１支持板１５を挿入して、各折り代１６を下折曲板１１及び第１座板１２の内面に当接させる。一方、第１背板１７と第２座板２３との間に第２支持板１８を挿入して、各折り代１９ａ，１９ｂを第１背板１７及び第２座板２３に当接させる。この際、第２支持板１８の係止孔２０が水平（上向き）に位置するようになる。この状態で、第１背板１７に対して第２座板２３を水平になるように折り曲げると共に、第２座板２３の係止片２５を互いに内側に折り曲げて、第２座板２３の係止片２５を上側から第２支持板１８の係止孔２０，２０に挿入して、階段状の棚Ａを構成する。
【００４１】
続いて、第１及び第２補強部材３０，３５を組み立てる。まず、第１補強部材３０は、図８（ａ）に示すように、天板３１を水平にして左右の両側板３２を互いに内側に折り曲げ、天板３１に対して後板３３を直角に折り曲げると共に、傾斜板３４を側板３２の斜辺に沿うように折り曲げる。つぎに、第２補強部材３５は、図８（ｂ）に示すように、第１補強部材３０と同様に、天板３６、側板３７及び後板３８をそれぞれ折り曲げ、傾斜板３９を側板３７の長辺に沿うように折り曲げる。そして、第１及び第２補強部材３０，３５は、完成した状態では、略直角三角形状の柱体を構成している。
【００４２】
つぎに、図９に示すように、完成された陳列台１０の棚Ａの内部空間、即ち第１座板１２、下折曲板１１で囲繞される空間に、その下方から第２補強部材３５を挿入すると共に、第１背板１７、第２座板２３で囲繞される空間に、その下方から第１補強部材３０を挿入する。この際、第１及び第２補強部材３０，３５は、第１及び第２支持板１５，１８の折り代が１６，１９ａ，１９ｂが折り曲げられることによって抱持される。この状態で、図１０に示すように、陳列台１０の上折曲板２９を上枠３の上端部から下方に向けて折り曲げると共に、上折曲板２９の上係止片２９ａを上枠３の係止孔５に挿入する。一方、陳列台１０の下折曲板１１を下枠４の上端部から下方に向けて折り曲げると共に、下折曲板１１の係止片１１ａを下枠４の係止孔５に挿入する。
【００４３】
そうすることで、第１背板１７の第２支持板１８の斜辺（折り代１９ａ）が枠体１の基板２に当接すると共に、第１座板１２の第１支持板１５の長辺（折り代１６）が枠体１の基板２に当接する。これによって、第１座板１２、第１支持板１５の内面に、第２補強部材３５の天板３６、側板３７の外面が当接する。また、第１背板１７、第２座板２３、第２支持板１８の内面に、第１補強部材３０の天板３１、側板３２、後板３３の外面が当接する。即ち、下折曲板１１、第１座板１２、第１支持板１５で形成される内部空間に、第２補強部材３５が位置固定されると共に、第１背板１７、第２支持板１８、第２座板２３で形成される内部空間に、第１補強部材３０が位置固定される（図２参照）。
【００４４】
この状態において、第１及び第２座板１２，２３の貫通孔１３，２４から第２及び第１補強部材３５，３０の天板３６，３１が臨出するようになる。即ち、青果物を第１及び第２座板１２，２３に載置した場合、青果物の一部（底部）が貫通孔１３，２４から臨出して、第２及び第１補強部材３５，３０の天板３６，３１に当接するようになる。つまり、青果物の荷重を陳列台１０の棚Ａと補強部材３０，３５とで個別に支持することで、青果物の荷重が分散され、第１及び第２座板１２，２３及び第１及び第２背板１７，２６の変形が防止される。
【００４５】
そして、補強部材３０，３５が内装された陳列台１０を枠体１の左側から順に取り付けると、図１に示す完成状態となる。
【００４６】
なお、前記実施形態の場合、陳列台１０の座板１２，２３の高さを同一にしたが、図１１に示すように、高低差を生じるように並設してもよい。即ち、両端の陳列台１０の座板１２，２３の高さよりも、中央の陳列台１０の座板１２，２３の高さを低くするようにしてもよい。この場合、高さの異なる青果物を陳列できるし、展示領域のバリエーションを広げることができる。また、陳列台１０は、１段または複数の階段状であってもよい。
【００４７】
また、前記実施形態の場合、同じ大きさの第１及び第２座板１２，２３を上下に配置するようにしたが、図１２に示すように、小なる座板１２０，２３０で構成される階段状の棚Ａ０を有する陳列台１００、中なる座板１２１，２３１で構成される階段状の棚Ａ１を有する陳列台１０１、大なる座板１２２，２３２で構成される階段状の棚Ａ２を有する陳列台１０２を並設するようにしてもよい。この場合、大きさの異なる青果物を同一面に陳列できるようになり、一つの展示領域に種々の青果物を展示できる。
【００４８】
また、前記実施形態の場合、枠体１を、上面が開口された箱体のように形成したが、基板２を取り除いた上枠３、左右の側枠７，８、下枠４のみで構成するようにしてもよく、上枠のみであってもよい。
【００４９】
また、前記実施形態の場合、枠体１の上枠３及び下枠４を、折り曲げ可能に連設された外板３ａ，４ａと内板３ｂ，４ｂとで構成するようにしたが、断面が円形状になるように折り曲げてもよい。この場合、陳列台１０の上折曲板２９及び下折曲板１１も、円形状に折り曲げて枠体１に係止することになる。
【符号の説明】
【００５０】
１…枠体、２…基板、３…上枠、３ａ，４ａ、７ａ，８ａ…外板、３ｂ，４ｂ、７ｂ，８ｂ…内板、３ｃ、４ｃ…外折曲片、３ｄ，４ｄ…内折曲片、３ｅ，４ｅ…スリット、４…下枠、５…係止孔、６…切欠き、７…左側枠、８…右側枠、９…突片、１０…陳列台、１１…下折曲板、１２…第１座板、１３…貫通孔、１５…第１支持板、１６，１９，２８…折り代、１７…第１背板、１８…第２支持板、２０…係止孔、２１…切込み、２２…連結片、２２ａ…挿入孔、２３…第２座板、２４…貫通孔、２５…スリット、２６…第２背板、２７…第３支持板、３０…第１補強部材、３１，３６…天板、３２，３７…側板、３３，３８…後板、３７，３９…傾斜板、３５…第２補強部材、Ａ…棚、Ｇ…傾斜面。
【図１】
2011045471.tif 000003
【図２】
2011045471.tif 000004
【図３】
2011045471.tif 000005
【図４】
2011045471.tif 000006
【図５】
2011045471.tif 000007
【図６】
2011045471.tif 000008
【図７】
2011045471.tif 000009
【図８】
2011045471.tif 000010
【図９】
2011045471.tif 000011
【図１０】
2011045471.tif 000012
【図１１】
2011045471.tif 000013
【図１２】
2011045471.tif 000014